(57)【要約】各種のデータをカラーのドット画像に変換して、該カラーのドット画像を用いて基の各種のデータ管理を行い、また、該カラーのドット画像を紙などの通常の媒体に、該媒体の品質や読み取り装置の品質に応じた記録保存し、スキャナーやカメラでコンピュータ内部に読み込んで、基の各種のデータを復元するシステムである。まず、各種のデータをカラーコード列で表し、該カラーコード列の各カラーコードにカラーのドットを対応させて任意の形状のカラーのドット画像や物を生成し、該カラーのドット画像を用いて基の各種のデータの管理を行い、各ドットの大きさ、ドットとドットの間隔を制御して紙などの各種の媒体に印刷や描画して記録保存し、コンピュータ内部での該カラーのドット画像から基のデータを復元し、該各種の媒体に記録保存したカラーのドット画像はスキャナーやカメラで読み込み、基の各種のデータに復元する。
2004081857.tif 000002
【特許請求の範囲】
【請求項１】
文書や音声などの各種のデータをカラーコード列で表し、これを基にカラーのドット画像作成し、コンピュータ内部では該カラーのドット画像を用いて基の各種のデータ管理を行い、また、該カラーのドット画像を紙や木などの各種の媒体に描画して該各種のデータを記録保存し、該記録保存されたカラーのドット画像から該各種のデータを復元するシステムであって、各種のデータをカラーコード列で対応させて表す手段と、該カラーコード列に対応したカラーのドット画像を生成する手段と、該カラーのドット画像を用いてコンピュータ内部で基の各種のデータ管理を行う手段と、該カラーのドット画像を紙などの媒体に印刷とか描画などの各種の方法で記録保存する手段と、色づけしたガラス玉とか石の玉などの各種の玉や糸や繊維などを用いて、該カラーのドット画像に対応させて、アクセサリなどの各種の物や服を構築する手段と、該記録保存されたカラーのドット画像をスキャナー、カメラなどの各種の読み取り装置で読み取る手段と、該読み取り手段で読み取ったカラーのドット画像を処理するカラードットコード処理装置と、該カラードットコード処理装置で該カラーのドット画像から該文書や音声などの各種のデータを復元する手段と、を備えたことを特徴とする、カラードットコードシステム。
【請求項２】
前記、カラーコード列の基本となる色の種類は、記録保存するプリンターおよび記録用媒体の品質、および、該媒体に記録されたカラーのドット画像を読み取る装置の精度に適した色の種類を用いることとし、例えば印刷インキなどを用いて紙に印刷記録する場合には、印刷インキの基本の色種別であるＣ（シアン）、Ｍ（マゼンタ）、Ｙ（イエロー）、Ｋ（ブラック）の４色を基本とし、または、Ｃ（シアン）の代わりに青、Ｍ（マゼンタ）の代わりに赤などを用い、印刷用紙の品質、プリンターの品質、および読み取り装置の品質が高ければ、その品質に応じて、４色に追加して、８色、１６色等、多数の色を用い、また、コンピュータ内部のデータ管理を行う時にはディスプレイ画面に表示して見易い画像になる色の種類を用いることを特徴とする請求の範囲第１項記載のカラードットコードシステム。
【請求項３】
前記、各種のデータをカラーコード列で表す手段は、コンピュータなどの内部でのデータの表現形式であるバイナリーデータを色の種類の数に応じて対応させて表し、前記、Ｃ（シアン）、Ｍ（マゼンタ）、Ｙ（イエロー）、Ｋ（ブラック）の４色を用いる場合には、２ビットごとにＣ（シアン）、Ｍ（マゼンタ）、Ｙ（イエロー）、Ｋ（ブラック）の４色で表すことを特徴とする請求の範囲第１項記載のカラードットコードシステム。
【請求項４】
前記、カラーのドット画像を、紙や木やガラスや布やプラスチックなどの各種の記録用媒体に印刷とか描画などにより記録保存する手段は、該各種の媒体の品質および該媒体に対する記録装置の精度に応じて、カラーの各ドットの大きさ、ドットとドットの間隔を定めて記録し、例えば、現時点でのパソコン用のインクジェットプリンターでプリンター用紙にプリント出力する場合には、印刷用紙の品質と該インクジェットプリンターの印刷精度に鑑みて、印刷カラーの各ドットの大きさを、例えば、縦が０．０５ｍｍ以上、横が０．０５ｍｍ以上の大きさとし、ドットとドットの間隔として、例えば、横方向（プリンターヘッドのスキャン方向）を０．０５ｍｍ以上、縦方向（紙の送りの方向）を０．０５ｍｍ以上とすることを特徴とする請求の範囲第１項記載のカラードットコードシステム。
【請求項５】
前記、紙などの各種の媒体に記録保存したカラーのドット画像を読み取る手段は、接触または非接触の方式およびレンズを用いて拡大して読み取る方式であり、接触方式としては、パソコンなどの周辺装置としてのスキャナー、ハンディスキャナーなどであること、非接触方式では、ディジタルカメラ、ビデオカメラ、カメラ付の携帯電話や携帯端末であることを特徴とする請求の範囲第１項記載のカラードットコードシステム。
【請求項６】
前記、カラーのドット画像は、任意の形状、また、各ドットの大きさは各ドットごとに任意の大きさであることを特徴とする、請求の範囲第１項記載のカラードットコードシステム。
【請求項７】
前記、カラーのドット画像を用いてコンピュータ内部でのデータ管理を行う、データ管理システムを備えたことを特徴とする請求の範囲第１項記載のカラードットコードシステム。
【請求項８】
文字などのそのままの表現で人間が理解することが出来るデータを直接データとし、前記、各種のデータを変換したカラーのドット画像を間接データとして、該直接データと間接データを混在させて、コンピュータ内部では一つのファイル、同一のデータベースとしてデータ管理を行い、印刷する場合には、該直接データと間接データとを混在させて紙などの同一の紙面に印刷し、該直接データと間接データとを融合するシステムであって、間接データを復元して直接データに変換することによって、各種のデータ管理を行う手段と、印刷された間接データの部分のカラーのドット画像をカメラとかスキャナで読み取る手段と、該読み取った間接データとしてのカラーのドット画像を復号して該人間が理解することが出来る直接データに変換する手段を備えたことを特徴とする、請求の範囲第１項記載のカラードットコードシステム。
【請求項９】
契約書などの印刷書類に、直接データとしての契約文章と、契約書が本物であることを証明する電子証明書、あるいは契約者の秘密鍵で暗号化した文書を、前記、カラー（モノクロを含む）のドット画像に変換し、該カラー（モノクロを含む）のドット画像を間接データとして、該直接データと間接データを混在させて印刷などにより記録し、直接データと間接データを融合するシステムであって、該間接データのカラー（モノクロを含む）のドット画像をカメラとかスキャナで読み取る手段と、該読み取った間接データを復号して直接データに変換し、該電子証明書あるいは該暗号化した文書を復元することにより、該契約書などの印刷書類が本物であることを証明する手段を備えたことを特徴とする、請求の範囲第１項記載のカラードットコードシステム。
【請求項１０】
複数の人が参照する印刷書類やコンピュータ内部でのデータで、各人だけが参照出来て、他人が参照出来ないようにしたい部分を、前記、カラーのドット画像で実現する手段を備えたこと、また第三者が容易に目をふれる、あるいは参照が可能な印刷物などの機密にしておきたい部分を本人あるいは対象者の公開鍵、あるいはグループに共通の共通鍵で暗号化し、暗号化したデータを、前記、カラーのドット画像による間接データで表現する手段を備えたことを特徴とする、請求の範囲第１項記載のカラードットコードシステム。
【請求項１１】
前記、カラーのドット画像としての間接データ、もしくは直接データと該間接データが記録された紙とか木とかガラスなどの各種の媒体。
【請求項１２】
請求の範囲第１項、請求の範囲第２項、請求の範囲第３項、請求の範囲第４項、請求の範囲第５項、請求の範囲第６項、請求の範囲第７項、請求の範囲第８項、請求の範囲第９項、請求の範囲第１０項、に記載のカラードットコードシステムを、コンピュータにおいて実現するためのプログラム。
【発明の詳細な説明】
【技術分野】  本発明は、文書や音声などの各種のデータを画像に変換して、コンピュータ内部ではこの画像をベースにして基のデータの管理を行い、該画像を紙などに印刷して、通常のフロッピーとかＣＤとかの電子的方法とは異なる形態で基のデータを記録保存し、該記録保存された画像をスキャナやカメラなどで読み取って、基のデータに復元する方法に係り、文書や音声などの各種のデータをカラーコードに対応させて変換してカラーコード列として表現し、該カラーコード列から、任意の形状で各ドットが任意の大きさのカラーのドット画像を生成し、該カラーのドット画像を用いて、コンピュータ内部ではこの画像をベースにして基のデータの管理を行い、また、該カラーのドット画像を紙や布や木やガラスやプラスチックや石などの各種の媒体に記録、保存する方法であって、該各種の媒体に記録保存する場合には、該記録用媒体の品質、記録装置の品質、読み取り装置の品質に応じて、記録するカラーの各ドットおよびドットとドットの間隔を小さくしたり、大きくしたりして、カラーのドット画像を該各種の媒体に記録保存し、該記録保存したカラーのドット画像を該記録保存された媒体に適した読み取り手段で読み取って、カラーコード処理装置に入力し、該カラーのドット画像を該カラーコード処理装置で該文書や音声などの各種のデータに復元することを可能とし、また、該カラーのドット画像を間接データとして、人間が見て直接に理解できる直接データとに対応させ、該間接データと直接データを混在させて、コンピュータ内部では一つのファイル、あるいはひとかたまりのデータとして管理し、紙などの媒体に記録保存する場合には、該直接データと間接データを同一の紙面に印刷し、必要に応じて、該間接データの部分を間接データ復元装置で基のデータに復元することを可能とする、カラードットコードシステムに関する。
【背景技術】  今日、コンピュータやネットワークが普及して、各種のデータがコンピュータ内部でのファイルとして管理されてきている。このため、データファイルの管理が非常に大変になってきている。また、重要なデータがネットワークを通して流出したり盗まれたりすることが多くなり、データを暗号化して保存するということが多くなっている。しかし、暗号化されたデータは我々の目から見ると意味のない記号が羅列されているだけで、人間にとって不快な印象を与え、コンピュータを日常的に利用する上で好ましいことではない。
一方、バーコードシステムが普及して、各商品にバーコードが貼り付けられて、スーパーマーケットのレジなどでは、商品に貼り付けられたバーコードを読み取って、商品の金額を入力している。この商品に貼り付けられたバーコードは、商品の説明のデータを白黒の線で表現したものということが出来る。また、バーコードには一次元だけでなく、二次元のバーコードも実現されている。しかし、このバーコードでは表現できる情報量はきわめて少ない。
一方、複写技術などが高度に発達してきている現在、印鑑などを偽造することは非常に容易になっているため、契約書などの印刷書類が、本人が本当に作成したものかどうかということは、容易に判断できなくなっているという現状になっている。また、複数の人が共通に参照する書類で、一部の内容だけ、個人の保護情報として、他人には参照されたくない、という書類も多数存在する。また、葉書などで、内容は本人以外の人達には秘密にしておきたい、ということも多々存在しており、このため最近では、二枚を張り合わせて、それを剥がすという方法で秘密を保持させるという葉書が用いられているが、複雑で費用も多くかかるし、また、故意に剥がされるかも知れないという不安が残る。
一方、コンピュータ内部のデータはすべて電子的なデータになっており、これらの電子的データは年月の経過とともに利用が出来なくなってしまうということが非常に多い。例えば、最近のノートパソコンはフロッピードライブを備えているものは非常に少なくなって来ており、過去にフロッピーに保存しておいたデータを読み出すことが出来なくなっている、という状況が現出されてきている。少し以前の８インチフロッピーとか５インチフロッピーとか、３．５インチでも、１．２ＭＢの容量のフロッピーはもうほとんど読み出すことが不可能である。絵画とかは、何百年前の絵画でもきちんと鑑賞できている。これは、絵画が直接データだからである。しかし、音楽データとか音声データとかは電子的なデータとして記録保存されているために、過去の媒体に保存されたものは現在の機器では再生できなくなっている場合が多い。
そこで、本発明は、各種のデータをカラーのドット画像に変換して、該カラーのドット画像を用いてコンピュータ内部でのデータ管理を行うことが可能なシステムを提供し、また、容量の大きいデータやバイナリデータなどの可視化出来ないデータであってもカラーのドット画像として可視化し、紙とか木とかの通常の媒体に容易にかつ該媒体の品質や読み取り装置の品質に応じて柔軟に対応可能な記録保存システムを提供し、また、偽造文書を作成することが不可能な印刷書類を作成することが可能なシステムを提供し、該記録保存されたカラーのドット画像をスキャナーやカメラでコンピュータ内部に読み込んで、基の各種のデータを復元することが可能となるシステムを提供することを目的としている。
【発明の開示】
本発明のカラードットコードシステムは、文書や音声などの各種のデータを、カラーコード列で表し、該カラーコード列の各カラーコードにカラーのドットを対応させて任意の形状のカラーのドット画像を生成し、コンピュータ内部では、該カラーのドット画像を用いて基の各種のデータの管理を行う手段を備え、紙などの各種の媒体に記録保存する場合には、各ドットの大きさおよび、ドットとドットの間隔を制御して、紙とか木とかの各種の媒体に描画したり、印刷したり、掘り込んだりして記録保存し、また、各ドットに対応した色のついたガラス玉とか石の玉とかを用いて該カラードットに対応する物を構築する手段を備え、また、文字などのそのままの表現で人間が理解することが出来る直接データと、間接データとしての該カラーのドット画像を混在させて、コンピュータ内部では同一のファイルデータとして管理し、紙などの媒体に印刷記録する場合には、同一の紙面に該直接データと間接データを混在させて印刷記録する手段を備え、該コンピュータ内部でのカラーのドット画像から基のデータを復元する手段と、紙などの各種の媒体に記録保存したカラーのドット画像をスキャナーなどの読み取り装置を用いたり、カメラなどで撮影してカラーコード処理装置に読み込んで、基の各種のデータを復元するという手段を備えるように構成したものである。
上記構成により、コンピュータ内部での各種のデータ形式をカラーのドット画像に変換して、コンピュータ内部では、該カラーのドット画像を用いて基の各種のデータの管理を行うことにより、データの一元管理が容易に実現され、また、暗号化されたデータなど人に不快感を与えるデータとか、圧縮されたデータなど、そのままでは可視化出来ないデータを可視化データとして、コンピュータを利用する上で、人が各種のデータを利用しやすく管理しやすい環境が容易に実現が可能となる。また、容量の大きなデータであっても、カラーのドット画像に変換し、さらに、任意の形状で、各ドットの大きさも任意の大きさで、ドットとドットの間隔も任意にして、人が親しみ易いカラーのドット画像として、通常の紙などの媒体に記録保存し、また、色のついたガラス玉とか石の玉とかで該カラーのドット画像に対応したアクセサリなどの物を構築し、通常のパソコンなどの周辺装置のスキャナーなどを利用して読み取って、基の各種のデータに復元することが容易に実現が可能となる。
【図面の簡単な説明】  第１図は、本発明の実施形態に係る、カラードットコードシステムの方式のブロック図であり、第２図は、カラードット処理装置のブロック図であり、第３図は、文書データをカラーコード列で表す方法を示す図であり、第４図は、カラーコード列をカラーのドット画像で表す方法を示す図であり、第５図は、カラーのドット画像をプリント用紙に印刷記録する方法を示す図であり、第６図は、カラードットコード処理装置でのカラーのドット画像からの文書データの復元処理の処理フロー図であり、第７図は、リアルタイム画面読み取り復元装置の構成図であり、第８図は、リアルタイムカード読み取り認証装置の構成図であり、第９図は、直接データと間接データの融合システムのブロック図であり、第１０図は、直接データと間接データを１枚の紙に印刷記録した契約書の例であり、第１１図は、シールやアクセサリの作成システムのブロック図であり、第１２図は、各種のデータの任意の形状のカラーのドット画像を生成する方式の例を示した図である。
【発明を実施するための最良の形態】  本発明をより詳細に説述するために、添付の図面に従ってこれを説明する。
第１図は、本発明の実施形態に係る、文書や音声などの各種のデータをカラーのドット画像として表現し、該カラーのドット画像を紙とか木とかの各種の媒体に記録することによって、該文書や音声などの各種のデータを保存し、該各種の媒体に記録保存されたカラーのドット画像をカメラやスキャナーで読み取ってカラードットコード処理装置で処理することによって、元の各種のデータに復元するという、カラードットコードシステムのブロック図である。
まず、文書データＤ１や音声データＤ２などの各種のデータを、カラーコード列Ｄ３として表現する。採用するカラーコードとしては、印刷用紙にインクジェットプリンターなどで印刷する場合には、例えば、印刷インクの基本色であるＣ（シアン）、Ｍ（マゼンタ）、Ｙ（イエロー）、Ｋ（ブラック）等を用いる。次に該カラーコード列Ｄ３から、各カラーコードにカラーのドットを対応させたカラーのドット画像Ｄ４を生成する。次に、該カラーのドット画像Ｄ４を、印刷などの方法によって紙などの各種の媒体に記録し、記録された画像Ｄ５として、該文書や音声などの各種のデータが該媒体に記録保存されることとなる。このようにして、該紙などの各種の媒体に記録保存された該カラーのドット画像Ｄ５から、元の文書データＤ１や音声データＤ２を復元するには、スキャナーなどの読み取り装置Ｆ１により、パソコンなどのカラードットコード処理装置Ｆ２に該カラーのドット画像Ｄ５を読み込み、該カラードットコード処理装置で復元処理することにより、元の文書データＤ１ａ、音声データＤ２ａを復元する。
第２図は、カラードットコード処理装置Ｆ２のブロック図である。カラードットコード処理装置Ｆ２は図２に示すように、カラードット画像入力処理部Ｐ１と、画素からカラーコードへの変換処理部Ｐ２と、カラードットコード列生成処理部Ｐ３と、バイナリーデータ生成処理部Ｐ４と、バイナリーデータからカラードットコード列生成処理部Ｐ５と、カラーのドット画像生成処理部Ｐ６と、カラーのドット画像出力処理部Ｐ７と、カラードット画像による各種のデータ管理部Ｐ８を有して構成される。
紙などの媒体に記録保存されたカラーのドット画像は該カラードット画像入力処理部Ｐ１を経由して該カラードットコード処理装置Ｆ２に入力されて、該画素からカラーコードへの変換処理部Ｐ２と、カラードットコード列生成処理部Ｐ３と、バイナリーデータ生成処理部Ｐ４と、によって各処理をなされて、基の各種のデータＤ６が復元される。
また、基の文書や音声などの各種のデータＤ６は、バイナリーデータからカラードットコード列生成処理部Ｐ５と、カラーのドット画像生成処理部Ｐ６と、カラーのドット画像出力処理部Ｐ７と、によって各処理をなされて、紙などの媒体にカラーのドット画像として記録保存される。
また、カラードット画像による各種のデータ管理部Ｐ８により、カラーのドット画像生成処理部Ｐ６により、生成されたカラードット画像を用いた各種のデータ管理を行う。
第３図は、文書のデータをカラードットコード列で表す方法についての説明図である。同図で、文書データＤ７は、パソコンなどのコンピュータ機器の内部データ形式としては、例えば、バイナリー形式Ｄ８として表現されている。これに対して、カラーコードとして、Ｃ（シアン）、Ｍ（マゼンタ）、Ｙ（イエロー）、Ｋ（ブラック）の４種類のカラーコードを用いる場合には、２ビットを表現することができる。そこで例えば、００としてＫ（ブラック）を対応させ、０１としてＣ（シアン）を対応させ、１０としてＭ（マゼンタ）を対応させ、１１としてＹ（イエロー）を対応させることとするビット情報とカラーコードとの対応表Ｄ９を作成する。次に該対応表Ｄ９を用いて、該文書データＤ７の該バイナリーデータ形式Ｄ８の対応付けＤ１０を行い、カラードットコード列Ｄ１１を生成する。
第４図は、カラードットコード列をカラーのドット画像として表現する方法についての説明図である。同図で、カラーコードのＣ（シアン）、Ｍ（マゼンタ）、Ｙ（イエロー）、Ｋ（ブラック）は、対応する色のカラードットＤ１２として表現される。該カラードットＤ１２を用いることによって、文書データのカラードットコード列Ｄ１１は、カラーのドット画像Ｄ１３として表現される。
第５図は、カラーのドット画像を、プリンターで用紙に印刷記録する方法についての説明図である。同図で、カラーのドット画像Ｄ１３は、パソコンなどのカラードットコード処理装置Ｆ２により、各ドットの大きさ、ドットとドットとの間の縦の間隔、横の間隔が制御されて、プリンターＦ２によりカラーのドット画像の記録保存Ｄ１４が生成される。
第６図は、スキャナでカラードットコード処理装置に読み込まれたカラーのドット画像から、元の各種データを復元する方法についての説明図である。同図で、該読み込まれたカラーのドット画像Ｄ１５は、該カラードットコード処理装置Ｆ２の画素からカラーコードへの変換処理部Ｐ２を用いて、各画素ごとに対応するカラーコードに変換され、カラードット画像のＣ（シアン）、Ｍ（マゼンタ）、Ｙ（イエロー）、Ｋ（ブラック）表現Ｄ１６として保存される。次に、該カラードットコード処理装置のカラーコード列生成処理部Ｐ２を用いて、カラーコード列Ｄ１１を生成する。次に、該カラードットコード処理装置のバイナリーデータ生成処理部Ｐ４を用いて、該カラーコード列Ｄ１１から、元の文書Ｄ７を復元する。
第７図は、リアルタイム画面読み取り復元装置の構成図である。同図で、テレビ画面などの表示装置Ｆ５に表示されたカラーのドット画像を、カメラＦ６を用いて、リアルタイムに画面読み取り復元装置の処理装置Ｆ７に取り込む。次に、該処理装置Ｆ７に取り込まれたカラーのドット画像データを、該処理装置Ｆ７を用いて、リアルタイムで元のデータを復元し、該元のデータをデータベース装置Ｆ８に保存したり、ネットワークＦ９を経由して遠隔地へ伝送したり、元のデータが音声などの場合には、スピーカＦ４を用いて音声を再生したり、元のデータが文書などの場合はプリンターＦ３を用いて印刷を行い、該テレビ画面などの表示装置Ｆ５の表示が時々刻々変化してゆく画面からのカラーのドット画像をリアルタイムで処理して、該テレビ画面などの表示装置Ｆ５からリアルタイムで各種のデータを取得することを行う。
第８図は、リアルタイム・カード読み取り認証装置の構成図である。同図で、カードの利用者本人に関する各種のデータのカラーのドット画像を記録したカードＦ１０から、カメラＦ６もしくはスキャナーＦ１を用いて、リアルタイム・カード読み取り認証装置の処理装置Ｆ１１にカラードット画像を取り込む。次に、該処理装置Ｆ１１に取り込んだカラーのドット画像データから、該処理装置Ｆ１１を用いて、リアルタイムでカードの利用者本人に関する各種のデータを復元する。次に、該処理装置Ｆ１１は、ネットワークＦ９を経由して、サーバＦ１２のデータベースＦ８から、該利用者本人に関するデータを取り寄せ、該復元された利用者本人のデータとの照合を行う。照合の結果、利用者本人と認証されたか否かに従って、該処理装置Ｆ１１は機器コントローラＦ１３に機器Ｆ１４を制御する指令を出して、機器Ｆ１４の操作を行う。例えば、カードＦ１０が入退出許可証などの場合には、機器Ｆ１４は入退出ゲートとなる。
第９図は、印刷用紙とか木などの各種の媒体に、文字などのそのままの表現で人間が理解することが出来る直接データと、各種のデータを変換したカラーのドットコード画像である間接データとを混在させて印刷などにより記録保存し、該各種の媒体に記録保存された間接データのカラーのドットコード画像をカメラとかスキャナで該読み取って、復号して直接データに変換するという、直接データと間接データの融合システムのブロック図である。同図で、画像データＤ１７を直接データとしてそのままの形式で用い、文書データＤ１８および音声データＤ１９を間接データとしてドット画像Ｄ２０、Ｄ２１に変換して、紙などの媒体に、印刷などにより直接データと間接データが融合された媒体Ｄ２２として記録保存がなされる。該Ｄ２２の内、文書データの間接データ部分Ｄ２０ａおよび音声データの間接データ部分Ｄ２１ａを、スキャナーなどの読み取り装置Ｆ１により、パソコンなどのドットコード処理装置Ｆ２に読み込み、該ドットコード処理装置で直接データに復元する処理により、元の文書データＤ１８ａ、音声データＤ１９ａを復元する。
第１０図は、直接データと間接データを混在して記録保存された紙などの媒体の別の例である。同図で、直接データと間接データを混在して記録保存された紙などの媒体Ｄ２３は、契約書などの書類の例であり、直接データとして、契約金額を含めた契約内容文書Ｄ２３ａと署名と印鑑Ｄ２３ｃとし、間接データとして、契約内容の主要な部分と署名を公開鍵方式の秘密鍵あるいは共通鍵方式の共通鍵などで暗号化したデータのドット画像Ｄ２３ｂとして記録している。
第１１図は、シールやアクセサリの作成システムのブロック図である。同図で、任意の形状の画像を、ドットを用い、各ドットの大きさを任意に定めて、ドット画像Ｄ２４を作成する。また、各種のデータＤ２５をカラーコード列Ｄ２６に変換する。  次に、マッピンッグ処理Ｐ９により、該任意の形状のドット画像Ｄ２４の各ドットに、該カラーコード列Ｄ２６の各カラーコードを対応させる。該マッピング処理Ｐ９により、該各種のデータの任意の形状のカラーのドット画像Ｄ２７が生成される。そして、該任意の形状のカラーのドット画像Ｄ２７を印刷制御Ｐ１０により、各ドットの大きさおよびドットとドットの間隔を制御して、シール画像Ｄ２８として印刷する。また、該任意の形状のカラーのドット画像Ｄ２７を用いて、ガラスの玉とか石の玉とか各種の色のついた玉を各ドットに対応させて、アクセサリＤ２９を作成する。
第１２図は、任意の形状のカラーのドット画像にカラーコード列をマッピングすることにより、各種のデータの任意の形状のカラーのドット画像を生成する方式の例を示した図である。同図で、任意の形状のカラーのドット画像Ｄ３０と文書データのカラーコード列Ｄ３１を、マッピング処理Ｐ９により、該任意の形状のカラーのドット画像Ｄ３０の各ドットに、該カラーコード列のカラーの色を対応させることにより、該各種のデータの任意の形状のカラーのドット画像Ｄ３２が生成される。
【産業上の利用可能性】  以上説明したように、本発明のカラードットコードシステムによれば、各種のデータをカラーコード列に変換する手段と、変換されたカラーコードをカラーのドットに対応させてカラーのドット画像を生成する手段と、該各種のデータに対応するカラーのドット画像を、紙などの通常の媒体に印刷記録し、該印刷記録されたカラーのドット画像をスキャナーやカメラなどにより、コンピュータ内部に読み込んで、基の各種のデータを復元する手段を備えるように構成したものであり、上記構成により、コンピュータ内部での各種のデータをカラーのドット画像に変換して、コンピュータ内部では該変換されたカラーのドット画像を用いて該基の各種のデータの管理を行うことにより、文字などの直接データと間接データとしてのカラーのドット画像との一元管理が実現され、暗号化されたデータなどの人に不快感を与えるデータとか、圧縮されたデータなどのそのままでは可視化出来ないデータを可視化データとして、人が各種のデータを利用しやすく管理しやすい環境が実現され、また、各種のデータを人が親しみ易い任意の形状のカラーのドット画像として、色のついたガラス玉とか石の玉とかでアクセサリなどの物を構築することが実現され、また、該カラーのドット画像の各ドットの大きさおよびドットとドットの間隔を制御して、通常の紙などの媒体に記録保存することにより、通常のパソコンなどの周辺装置のスキャナーとかカメラなどを利用して読み取って、基の各種のデータに復元することが実現されるという効果が得られる。
【図１】
2004081857.tif 000003
【図２】
2004081857.tif 000004
【図３】
2004081857.tif 000005
【図４】
2004081857.tif 000006
【図５】
2004081857.tif 000007
【図６】
2004081857.tif 000008
【図７】
2004081857.tif 000009
【図８】
2004081857.tif 000010
【図９】
2004081857.tif 000011
【図１０】
2004081857.tif 000012
【図１１】
2004081857.tif 000013
【図１２】
2004081857.tif 000014
【手続補正書】
【提出日】平成17年8月24日(2005.8.24)
【手続補正１】
【補正対象書類名】特許請求の範囲
【補正対象項目名】全文
【補正方法】変更
【補正の内容】
【特許請求の範囲】
【請求項１】
文書や音声などの各種のデータをカラーコード列で表し、これを基にカラーのドット画像作成し、コンピュータ内部では該カラーのドット画像を用いて基の各種のデータ管理を行い、また、該カラーのドット画像を紙や木などの各種の媒体に描画して該各種のデータを記録保存し、該記録保存されたカラーのドット画像から該各種のデータを復元するシステムであって、各種のデータをカラーコード列で対応させて表す手段と、該カラーコード列に対応したカラーのドット画像を生成する手段と、該カラーのドット画像を用いてコンピュータ内部で基の各種のデータ管理を行う手段と、該カラーのドット画像を紙などの媒体に印刷とか描画などの各種の方法で記録保存する手段と、色づけしたガラス玉とか石の玉などの各種の玉や糸や繊維などを用いて、該カラーのドット画像に対応させて、アクセサリなどの各種の物や服を構築する手段と、該記録保存されたカラーのドット画像をスキャナー、カメラなどの各種の読み取り装置で読み取る手段と、該読み取り手段で読み取ったカラーのドット画像を処理するカラードットコード処理装置と、該カラードットコード処理装置で該カラーのドット画像から該文書や音声などの各種のデータを復元する手段と、を備えたことを特徴とする、カラードットコードシステム。
【請求項２】
前記、カラーコード列の基本となる色の種類は、記録保存するプリンターおよび記録用媒体の品質、および、該媒体に記録されたカラーのドット画像を読み取る装置の精度に適した色の種類を用いることとし、例えば印刷インキなどを用いて紙に印刷記録する場合には、印刷インキの基本の色種別であるC（シアン）、M（マゼンタ）、Y（イエロー）、K（ブラック）の4色を基本とし、または、C（シアン）の代わりに青、M（マゼンタ）の代わりに赤などを用い、印刷用紙の品質、プリンターの品質、および読み取り装置の品質が高ければ、その品質に応じて、4色に追加して、8色、16色等、多数の色を用い、また、コンピュータ内部のデータ管理を行う時にはディスプレイ画面に表示して見易い画像になる色の種類を用いることを特徴とする請求の範囲第1項記載のカラードットコードシステム。
【請求項３】
前記、各種のデータをカラーコード列で表す手段は、コンピュータなどの内部でのデータの表現形式であるバイナリーデータを色の種類の数に応じて対応させて表し、前記、C（シアン）、M（マゼンタ）、Y（イエロー）、K（ブラック）の4色を用いる場合には、２ビットごとにC（シアン）、M（マゼンタ）、Y（イエロー）、K（ブラック）の4色で表すことを特徴とする請求の範囲第1項記載のカラードットコードシステム。
【請求項４】
前記、カラーのドット画像を、紙や木やガラスや布やプラスチックなどの各種の記録用媒体に印刷とか描画などにより記録保存する手段は、該各種の媒体の品質および該媒体に対する記録装置の精度に応じて、カラーの各ドットの大きさ、ドットとドットの間隔を定めて記録し、例えば、現時点でのパソコン用のインクジェットプリンターでプリンター用紙にプリント出力する場合には、印刷用紙の品質と該インクジェットプリンターの印刷精度に鑑みて、印刷カラーの各ドットの大きさを、例えば、縦が0.05mm以上、横が0.05mm以上の大きさとし、ドットとドットの間隔として、例えば、横方向（プリンターヘッドのスキャン方向）を0.05mm以上、縦方向（紙の送りの方向）を0.05mm以上とすることを特徴とする請求の範囲第1項記載のカラードットコードシステム。
【請求項５】
前記、紙などの各種の媒体に記録保存したカラーのドット画像を読み取る手段は、接触または非接触の方式およびレンズを用いて拡大して読み取る方式であり、接触方式としては、パソコンなどの周辺装置としてのスキャナー、ハンディスキャナーなどであること、非接触方式では、ディジタルカメラ、ビデオカメラ、カメラ付の携帯電話や携帯端末であることを特徴とする請求の範囲第1項記載のカラードットコードシステム。
【請求項６】
前記、カラーのドット画像は、任意の形状、また、各ドットの大きさは各ドットごとに任意の大きさであることを特徴とする、請求の範囲第1項記載のカラードットコードシステム。
【請求項７】
前記、カラーのドット画像を用いてコンピュータ内部でのデータ管理を行う、データ管理システムを備えたことを特徴とする請求の範囲第1項記載のカラードットコードシステム。
【請求項８】
文字などのそのままの表現で人間が理解することが出来るデータを直接データとし、前記、各種のデータを変換したカラーのドット画像を間接データとして、該直接データと間接データを混在させて、コンピュータ内部では一つのファイル、同一のデータベースとしてデータ管理を行い、印刷する場合には、該直接データと間接データとを混在させて紙などの同一の紙面に印刷し、該直接データと間接データとを融合するシステムであって、間接データを復元して直接データに変換することによって、各種のデータ管理を行う手段と、印刷された間接データの部分のカラーのドット画像をカメラとかスキャナで読み取る手段と、該読み取った間接データとしてのカラーのドット画像を復号して該人間が理解することが出来る直接データに変換する手段を備えたことを特徴とする、請求の範囲第1項記載のカラードットコードシステム。
【請求項９】
契約書などの印刷書類に、直接データとしての契約文章と、契約書が本物であることを証明する電子証明書、あるいは契約者の秘密鍵で暗号化した文書を、前記、カラー（モノクロを含む）のドット画像に変換し、該カラー（モノクロを含む）のドット画像を間接データとして、該直接データと間接データを混在させて印刷などにより記録し、直接データと間接データを融合するシステムであって、該間接データのカラー（モノクロを含む）のドット画像をカメラとかスキャナで読み取る手段と、該読み取った間接データを復号して直接データに変換し、該電子証明書あるいは該暗号化した文書を復元することにより、該契約書などの印刷書類が本物であることを証明する手段を備えたことを特徴とする、請求の範囲第1項記載のカラードットコードシステム。
【請求項１０】
複数の人が参照する印刷書類やコンピュータ内部でのデータで、各人だけが参照出来て、他人が参照出来ないようにしたい部分を、前記、カラーのドット画像で実現する手段を備えたこと、また第三者が容易に目をふれる、あるいは参照が可能な印刷物などの機密にしておきたい部分を本人あるいは対象者の公開鍵、あるいはグループに共通の共通鍵で暗号化し、暗号化したデータを、前記、カラーのドット画像による間接データで表現する手段を備えたことを特徴とする、請求の範囲第1項記載のカラードットコードシステム。
【請求項１１】
前記、カラーのドット画像としての間接データ、もしくは直接データと該間接データが記録された紙とか木とかガラスなどの各種の媒体。
【請求項１２】
請求の範囲第1項、請求の範囲第2項、請求の範囲第3項、請求の範囲第4項、請求の範囲第5項、請求の範囲第6項、請求の範囲第7項、請求の範囲第8項、請求の範囲第9項、請求の範囲第10項、に記載のカラードットコードシステムを、コンピュータにおいて実現するためのプログラム。
【請求項１３】
カラーをビット列に対応させたカラーコードを準備し、原本のデジタルデータを該カラーコードに従ってカラードット列に変換し、該カラードット列をカラードット画像として印刷または描画可能な媒体に読み取り可能に表示することにより前記デジタルデータを記録し、前記媒体に表示されたカラードット画像からカラードット列を読み取り、該読み取ったカラードット列をカラーコードの列に変換することにより前記原本のデジタルデータを復元することを特徴とするカラードットコードシステム。
【請求項１４】
前記媒体に表示するカラードット画像は任意の形状を有すると共に、各カラードットの形状はドット毎に任意の形状および大きさであることを特徴とする請求項１３記載のカラードットコードシステム。
【請求項１５】
前記カラーコードに対応させるカラーは、カラー印刷における４色の基本色であり、前記カラーコードは２ビット長であることを特徴とする請求項１３記載のカラードットコードシステム。
【請求項１６】
前記媒体が紙、木、ガラス、布、プラスチックのいずれかからなる記録用媒体、色付きガラス玉、色付き石、糸、繊維を含む表色素子で構築するアクセサリーおよび衣服のいずれかであることを特徴とする請求項１３記載のカラードットコードシステム。
【請求項１７】
前記媒体に前記原本デジタルデータを変換したカラードット列でなる間接データと共に、人が直接理解できる直接データを混在させて表示することを特徴とする請求項１３記載のカラードットコードシステム。
【請求項１８】
前記直接データが契約文章であって、前記間接データが電子証明書を変換したカラードット列であることを特徴とする請求項１７記載のカラードットコードシステム。
【請求項１９】
前記媒体に、原本情報の大部を人が直接理解できる直接データとして、また該原本情報の一部を変換したカラードット列でなる間接データとして、混在させて表示することを特徴とする請求項１３記載のカラードットコードシステム。
【請求項２０】
カラーをビット列に対応させたカラーコードを格納した記憶装置と、原本のデジタルデータを該カラーコードを介してカラードット列を表示するデジタル情報に変換する変換装置と、該デジタル情報を取り込んで原本のデータ管理を行うデータ管理装置と、前記デジタル情報をカラーコードの列に変換することにより前記原本のデジタルデータを復元する情報復元装置を備えることを特徴とするカラードットコードシステム。
【請求項２１】
前記カラーコードに対応させるカラーは、カラー印刷の４色の基本色であり、前記カラーコードは２ビット長であることを特徴とする請求項２０記載のカラードットコードシステム。
【請求項２２】
カラーをビット列に対応させたカラーコードを格納した記憶装置と、原本のデジタルデータを該カラーコードを介してカラードット列に変換する変換装置と、該カラードット列を媒体に読み取り可能に表示することにより前記デジタルデータを記録する情報記録装置を備えるカラードットコード記録装置。
【請求項２３】
媒体に表示されたカラードット列を読み取る読取り装置と、該読み取ったカラードット列をカラーをビット列に対応させたカラーコードに基づいてカラーコードの列に変換することにより原本のデジタルデータを復元する情報復元装置を備えるカラードットコード復元装置。
【請求項２４】
前記読み取り装置が、スキャナーまたはデジタルカメラであることを特徴とする請求項２３記載のカラードットコード復元装置。
【請求項２５】
請求項１３に記載のカラードットコードシステムにより情報を表示した媒体。
【請求項２６】
請求項１３から２０のいずれかに記載のカラードットコードシステムをコンピュータにおいて実現するためのプログラム。
【手続補正２】
【補正対象書類名】明細書
【補正対象項目名】全文
【補正方法】変更
【補正の内容】
【発明の詳細な説明】
【技術分野】
【０００１】
本発明は、文書や音声などの各種のデータを画像に変換して、コンピュータ内部ではこの画像をベースにして基のデータの管理を行い、該画像を紙などに印刷して、通常のフレキシブルディスクとかCDとかの電子的方法とは異なる形態で基のデータを記録保存し、該記録保存された画像をスキャナやカメラなどで読み取って、基のデータに復元する方法に係り、文書や音声などの各種のデータをカラーコードに対応させて変換してカラーコード列として表現し、該カラーコード列から、任意の形状で各ドットが任意の大きさのカラーのドット画像を生成し、該カラーのドット画像を用いて、コンピュータ内部ではこの画像をベースにして基のデータの管理を行い、また、該カラーのドット画像を紙や布や木やガラスやプラスチックや石などの各種の媒体に記録、保存する方法であって、該各種の媒体に記録保存する場合には、該記録用媒体の品質、記録装置の品質、読み取り装置の品質に応じて、記録するカラーの各ドットおよびドットとドットの間隔を小さくしたり、大きくしたりして、カラーのドット画像を該各種の媒体に記録保存し、該記録保存したカラーのドット画像を該記録保存された媒体に適した読み取り手段で読み取って、カラーコード処理装置に入力し、該カラーのドット画像を該カラーコード処理装置で該文書や音声などの各種のデータに復元することを可能とし、また、該カラーのドット画像を間接データとして、人間が見て直接に理解できる直接データとに対応させ、該間接データと直接データを混在させて、コンピュータ内部では一つのファイル、あるいはひとかたまりのデータとして管理し、紙などの媒体に記録保存する場合には、該直接データと間接データを同一の紙面に印刷し、必要に応じて、該間接データの部分を間接データ復元装置で基のデータに復元することを可能とする、カラードットコードシステムに関する。
【背景技術】
【０００２】
今日、コンピュータやネットワークが普及して、各種のデータがコンピュータ内部でのファイルとして管理されてきている。このため、データファイルの管理が非常に大変になってきている。また、重要なデータがネットワークを通して流出したり盗まれたりすることが多くなり、データを暗号化して保存するということが多くなっている。しかし、暗号化されたデータは我々の目から見ると意味のない記号が羅列されているだけで、人間にとって不快な印象を与え、コンピュータを日常的に利用する上で好ましいことではない。
【０００３】
一方、バーコードシステムが普及して、各商品にバーコードが貼り付けられて、スーパーマーケットのレジなどでは、商品に貼り付けられたバーコードを読み取って、商品の金額を入力している。この商品に貼り付けられたバーコードは、商品の説明のデータを白黒の線で表現したものということが出来る。また、バーコードには一次元だけでなく、二次元のバーコードも実現されている。しかし、このバーコードでは表現できる情報量はきわめて少ない。
【０００４】
一方、複写技術などが高度に発達してきている現在、印鑑などを偽造することは非常に容易になっているため、契約書などの印刷書類が、本人が本当に作成したものかどうかということは、容易に判断できなくなっているという現状になっている。また、複数の人が共通に参照する書類で、一部の内容だけ、個人の保護情報として、他人には参照されたくない、という書類も多数存在する。また、葉書などで、内容は本人以外の人達には秘密にしておきたい、ということも多々存在しており、このため最近では、二枚を張り合わせて、それを剥がすという方法で秘密を保持させるという葉書が用いられているが、複雑で費用も多くかかるし、また、故意に剥がされるかも知れないという不安が残る。
【０００５】
一方、コンピュータ内部のデータはすべて電子的なデータになっており、これらの電子的データは年月の経過とともに利用が出来なくなってしまうということが非常に多い。例えば、最近のノートパソコンはフレキシブルディスクドライブを備えているものは非常に少なくなって来ており、過去にフレキシブルディスクに保存しておいたデータを読み出すことが出来なくなっている、という状況が現出されてきている。少し以前の８インチフレキシブルディスクとか５インチフレキシブルディスクとか、3.5インチでも、1.2MBの容量のフレキシブルディスクはもうほとんど読み出すことが不可能である。絵画とかは、何百年前の絵画でもきちんと鑑賞できている。これは、絵画が直接データだからである。しかし、音楽データとか音声データとかは電子的なデータとして記録保存されているために、過去の媒体に保存されたものは現在の機器では再生できなくなっている場合が多い。
【発明の開示】
【発明が解決しようとする課題】
【０００６】
そこで、本発明は、各種のデータをカラーのドット画像に変換して、該カラーのドット画像を用いてコンピュータ内部でのデータ管理を行うことが可能なシステムを提供し、また、容量の大きいデータやバイナリデータなどの可視化出来ないデータであってもカラーのドット画像として可視化し、紙とか木とかの通常の媒体に容易にかつ該媒体の品質や読み取り装置の品質に応じて柔軟に対応可能な記録保存システムを提供し、また、偽造文書を作成することが不可能な印刷書類を作成することが可能なシステムを提供し、該記録保存されたカラーのドット画像をスキャナーやカメラでコンピュータ内部に読み込んで、基の各種のデータを復元することが可能となるシステムを提供することを目的としている。
【課題を解決するための手段】
【０００７】
本発明のカラードットコードシステムは、文書や音声などの各種のデータを、カラーコード列で表し、該カラーコード列の各カラーコードにカラーのドットを対応させて任意の形状のカラーのドット画像を生成し、コンピュータ内部では、該カラーのドット画像を用いて基の各種のデータの管理を行う手段を備え、紙などの各種の媒体に記録保存する場合には、各ドットの大きさおよび、ドットとドットの間隔を制御して、紙とか木とかの各種の媒体に描画したり、印刷したり、掘り込んだりして記録保存し、また、各ドットに対応した色のついたガラス玉とか石の玉とかを用いて該カラードットに対応する物を構築する手段を備え、また、文字などのそのままの表現で人間が理解することが出来る直接データと、間接データとしての該カラーのドット画像を混在させて、コンピュータ内部では同一のファイルデータとして管理し、紙などの媒体に印刷記録する場合には、同一の紙面に該直接データと間接データを混在させて印刷記録する手段を備え、該コンピュータ内部でのカラーのドット画像から基のデータを復元する手段と、紙などの各種の媒体に記録保存したカラーのドット画像をスキャナーなどの読み取り装置を用いたり、カメラなどで撮影してカラーコード処理装置に読み込んで、基の各種のデータを復元するという手段を備えるように構成したものである。
【０００８】
上記構成により、コンピュータ内部での各種のデータ形式をカラーのドット画像に変換して、コンピュータ内部では、該カラーのドット画像を用いて基の各種のデータの管理を行うことにより、データの一元管理が容易に実現され、また、暗号化されたデータなど人に不快感を与えるデータとか、圧縮されたデータなど、そのままでは可視化出来ないデータを可視化データとして、コンピュータを利用する上で、人が各種のデータを利用しやすく管理しやすい環境が容易に実現が可能となる。また、容量の大きなデータであっても、カラーのドット画像に変換し、さらに、任意の形状で、各ドットの大きさも任意の大きさで、ドットとドットの間隔も任意にして、人が親しみ易いカラーのドット画像として、通常の紙などの媒体に記録保存し、また、色のついたガラス玉とか石の玉とかで該カラーのドット画像に対応したアクセサリなどの物を構築し、通常のパソコンなどの周辺装置のスキャナーなどを利用して読み取って、基の各種のデータに復元することが容易に実現が可能となる。
【０００９】
なお、カラーコード列の基本となる色の種類は、記録保存するためのプリンターおよび記録用媒体の品質、および、その媒体に記録されたカラーのドット画像を読み取る装置の精度に適した色の種類を用いることが好ましい。たとえば、印刷インキを用いて紙に印刷記録する場合には、印刷インキの基本の色種別であるC（シアン）、M(マゼンタ）、Y（イエロー）、K（ブラック）の４色を基本とし、または、C（シアン）の代りに青、M(マゼンタ）の代りに赤などを用いる。なお、印刷用紙の品質、プリンターの品質、および読み取り装置の品質が高ければ、その品質に応じて、８色、１６色など、より多くの色を用いることができる。また、コンピュータ内部のデータ管理を行うときには、ディスプレイ画面に表示して見やすい画像になる色の種類を選択すればよい。
【００１０】
各種のデータをカラーコード列で表わす手段は、コンピュータなどの内部での表現形式であるバイナリーデータを色の種類の数に応じて対応させて表わすことが好ましい。たとえば、C（シアン）、M(マゼンタ）、Y（イエロー）、K（ブラック）の４色で表わすときは、４色を２ビットのコードに対応させ、元のデジタル情報を２ビットごとに分割して各分割部分を対応する色で表わす。
【００１１】
カラーのドット画像を紙や木やガラスや布やプラスチックなどの各種の記録用媒体に印刷あるいは描画などにより記録保存する手段は、各種媒体の品質およびその媒体に対する記録装置の精度に応じて、カラーの各ドットの大きさ、ドットとドットの間隔を定めることが好ましい。たとえば、現時点でのパソコン用インクジェットプリンターでプリンター用紙にプリント出力する場合は、印刷用紙の品質とインクジェットプリンターの印刷精度に鑑みて、印刷カラーの各ドットの大きさを、例えば、縦が０．０５ｍｍ以上、横が０．０５ｍｍ以上の大きさとして、ドットとドットの間隔として、たとえば、横方向（プリンターヘッドのスキャン方向）を０．０５ｍｍ以上、縦方向（紙の送り方向）を０．０５ｍｍ以上とすることが妥当である。
【００１２】
紙などの各種媒体に記録保存したカラーのドット画像を読み取る手段は、接触または非接触の方式、またはレンズを用いて拡大して読み取る方式であることがこのましい。接触方式にはパソコンなどの周辺装置としてのスキャナー、ハンディスキャナーなどがあり、非接触方式にはディジタルカメラ、ビデオカメラ、カメラ付き携帯電話、カメラ付き携帯端末がある。
【００１３】
また、本発明のカラードットコードシステムは、人が読み取ることができる直接データと暗号化された間接データを一緒に記録した融合データを扱うシステムとすることができる。
たとえば、契約書などの印刷書類を調製するときに、直接データとしての契約文章に加えて、契約書が本物であることを証明する電子証明書、あるいは契約者の秘密鍵で暗号化した文書を前記の方法で変換したカラー（モノクロを含む）のドット画像を間接データとして混在させて印刷することにより、直接データと間接データを融合したシステムして記録することができる。
【００１４】
この融合システムにおいては、間接データのカラー（モノクロを含む）のドット画像をカメラやスキャナーで読み取って、読み取った間接データを復号して直接データに変換し、電子証明書あるいは暗号化した文書を復元することにより、契約書などの印刷書類が本物であることを証明することができる。
【００１５】
また、複数の人が参照できる印刷書類やコンピュータ内部のデータにおいて、当事者だけは参照できるが他人は参照できないようにしたい部分を、カラーのドット画像を用いて保護するようにする手段を備えてもよい。さらに、第三者が簡単に目にすることができる文書、あるいは参照が可能な印刷物などにおいて、機密にしたい部分を本人あるいは対象者の公開鍵、あるいはグループに共通の共有鍵で暗号化し、暗号化したデータを本発明のカラーのドット画像を用いて間接データにして表示する手段を備えてもよい。
【発明を実施するための最良の形態】
【００１６】
本発明をより詳細に説述するために、添付の図面に従ってこれを説明する。
第1図は、本発明の実施形態に係る、カラードットコードシステムの方式のブロック図であり、第2図は、カラードット処理装置のブロック図であり、第3図は、文書データをカラーコード列で表す方法を示す図であり、第4図は、カラーコード列をカラーのドット画像で表す方法を示す図であり、第5図は、カラーのドット画像をプリント用紙に印刷記録する方法を示す図であり、第6図は、カラードットコード処理装置でのカラーのドット画像からの文書データの復元処理の処理フロー図であり、第7図は、リアルタイム画面読み取り復元装置の構成図であり、第8図は、リアルタイムカード読み取り認証装置の構成図であり、第9図は、直接データと間接データの融合システムのブロック図であり、第10図は、直接データと間接データを１枚の紙に印刷記録した契約書の例であり、第11図は、シールやアクセサリの作成システムのブロック図であり、第12図は、各種のデータの任意の形状のカラーのドット画像を生成する方式の例を示した図である。
【００１７】
第1図は、本発明の実施形態に係る、文書や音声などの各種のデータをカラーのドット画像として表現し、該カラーのドット画像を紙とか木とかの各種の媒体に記録することによって、該文書や音声などの各種のデータを保存し、該各種の媒体に記録保存されたカラーのドット画像をカメラやスキャナーで読み取ってカラードットコード処理装置で処理することによって、元の各種のデータに復元するという、カラードットコードシステムのブロック図である。
【００１８】
まず、文書データD1や音声データD2などの各種のデータを、カラーコード列D3として表現する。採用するカラーコードとしては、印刷用紙にインクジェットプリンターなどで印刷する場合には、例えば、印刷インクの基本色であるC（シアン）、M（マゼンタ）、Y（イエロー）、K（ブラック）等を用いる。次に該カラーコード列D３から、各カラーコードにカラーのドットを対応させたカラーのドット画像D4を生成する。次に、該カラーのドット画像D4を、印刷などの方法によって紙などの各種の媒体に記録し、記録された画像D5として、該文書や音声などの各種のデータが該媒体に記録保存されることとなる。このようにして、該紙などの各種の媒体に記録保存された該カラーのドット画像D5から、元の文書データD1や音声データD2を復元するには、スキャナーなどの読み取り装置F1により、パソコンなどのカラードットコード処理装置F2に該カラーのドット画像D5を読み込み、該カラードットコード処理装置で復元処理することにより、元の文書データD1a、音声データD2aを復元する。
【００１９】
第2図は、カラードットコード処理装置F2のブロック図である。カラードットコード処理装置F2は図2に示すように、カラードット画像入力処理部P1と、画素からカラーコードへの変換処理部P2と、カラードットコード列生成処理部P3と、バイナリーデータ生成処理部P4と、バイナリーデータからカラードットコード列生成処理部P5と、カラーのドット画像生成処理部P6と、カラーのドット画像出力処理部P7と、カラードット画像による各種のデータ管理部P8を有して構成される。
【００２０】
紙などの媒体に記録保存されたカラーのドット画像は該カラードット画像入力処理部P1を経由して該カラードットコード処理装置F2に入力されて、該画素からカラーコードへの変換処理部P2と、カラードットコード列生成処理部P3と、バイナリーデータ生成処理部P4と、によって各処理をなされて、基の各種のデータD6が復元される。
また、基の文書や音声などの各種のデータD6は、バイナリーデータからカラードットコード列生成処理部P5と、カラーのドット画像生成処理部P6と、カラーのドット画像出力処理部P7と、によって各処理をなされて、紙などの媒体にカラーのドット画像として記録保存される。
また、カラードット画像による各種のデータ管理部P8により、カラーのドット画像生成処理部P6により、生成されたカラードット画像を用いた各種のデータ管理を行う。
【００２１】
第3図は、文書のデータをカラードットコード列で表す方法についての説明図である。同図で、文書データD7は、パソコンなどのコンピュータ機器の内部データ形式としては、例えば、バイナリー形式D8として表現されている。これに対して、カラーコードとして、C（シアン）、M（マゼンタ）、Y（イエロー）、K（ブラック）の4種類のカラーコードを用いる場合には、2ビットを表現することができる。そこで例えば、00としてK（ブラック）を対応させ、01としてC（シアン）を対応させ、10としてM（マゼンタ）を対応させ、11としてY（イエロー）を対応させることとするビット情報とカラーコードとの対応表D9を作成する。次に該対応表D9を用いて、該文書データD７の該バイナリーデータ形式D8の対応付けD10を行い、カラードットコード列D11を生成する。
【００２２】
第4図は、カラードットコード列をカラーのドット画像として表現する方法についての説明図である。同図で、カラーコードのC（シアン）、M（マゼンタ）、Y（イエロー）、K（ブラック）は、対応する色のカラードットD12として表現される。該カラードットD12を用いることによって、文書データのカラードットコード列D11は、カラーのドット画像D13として表現される。
【００２３】
第5図は、カラーのドット画像を、プリンターで用紙に印刷記録する方法についての説明図である。同図で、カラーのドット画像D13は、パソコンなどのカラードットコード処理装置F2により、各ドットの大きさ、ドットとドットとの間の縦の間隔、横の間隔が制御されて、プリンターF2によりカラーのドット画像の記録保存D14が生成される。
【００２４】
第6図は、スキャナでカラードットコード処理装置に読み込まれたカラーのドット画像から、元の各種データを復元する方法についての説明図である。同図で、該読み込まれたカラーのドット画像D15は、該カラードットコード処理装置F2の画素からカラーコードへの変換処理部P2を用いて、各画素ごとに対応するカラーコードに変換され、カラードット画像のC（シアン）、M（マゼンタ）、Y（イエロー）、K（ブラック）表現D16として保存される。次に、該カラードットコード処理装置のカラーコード列生成処理部P2を用いて、カラーコード列D11を生成する。次に、該カラードットコード処理装置のバイナリーデータ生成処理部P4を用いて、該カラーコード列D11から、元の文書D7を復元する。
【００２５】
第7図は、リアルタイム画面読み取り復元装置の構成図である。同図で、テレビ画面などの表示装置F5に表示されたカラーのドット画像を、カメラF6を用いて、リアルタイムに画面読み取り復元装置の処理装置F7に取り込む。次に、該処理装置F7に取り込まれたカラーのドット画像データを、該処理装置F7を用いて、リアルタイムで元のデータを復元し、該元のデータをデータベース装置F8に保存したり、ネットワークF9を経由して遠隔地へ伝送したり、元のデータが音声などの場合には、スピーカF4を用いて音声を再生したり、元のデータが文書などの場合はプリンターF3を用いて印刷を行い、該テレビ画面などの表示装置F5の表示が時々刻々変化してゆく画面からのカラーのドット画像をリアルタイムで処理して、該テレビ画面などの表示装置F5からリアルタイムで各種のデータを取得することを行う。
【００２６】
第8図は、リアルタイム・カード読み取り認証装置の構成図である。同図で、カードの利用者本人に関する各種のデータのカラーのドット画像を記録したカードF10から、カメラF6もしくはスキャナーF1を用いて、リアルタイム・カード読み取り認証装置の処理装置F11にカラードット画像を取り込む。次に、該処理装置F11に取り込んだカラーのドット画像データから、該処理装置F11を用いて、リアルタイムでカードの利用者本人に関する各種のデータを復元する。次に、該処理装置F11は、ネットワークF9を経由して、サーバF12のデータベースF8から、該利用者本人に関するデータを取り寄せ、該復元された利用者本人のデータとの照合を行う。照合の結果、利用者本人と認証されたか否かに従って、該処理装置F11は機器コントローラF13に機器F14を制御する指令を出して、機器F14の操作を行う。例えば、カードF10が入退出許可証などの場合には、機器F14は入退出ゲートとなる。
【００２７】
第9図は、印刷用紙とか木などの各種の媒体に、文字などのそのままの表現で人間が理解することが出来る直接データと、各種のデータを変換したカラーのドットコード画像である間接データとを混在させて印刷などにより記録保存し、該各種の媒体に記録保存された間接データのカラーのドットコード画像をカメラとかスキャナで該読み取って、復号して直接データに変換するという、直接データと間接データの融合システムのブロック図である。同図で、画像データD17を直接データとしてそのままの形式で用い、文書データD18および音声データD19を間接データとしてドット画像D20、D21に変換して、紙などの媒体に、印刷などにより直接データと間接データが融合された媒体D22として記録保存がなされる。該D22の内、文書データの間接データ部分D20aおよび音声データの間接データ部分D21aを、スキャナーなどの読み取り装置F1により、パソコンなどのドットコード処理装置F2に読み込み、該ドットコード処理装置で直接データに復元する処理により、元の文書データD18a、音声データD19aを復元する。
【００２８】
第10図は、直接データと間接データを混在して記録保存された紙などの媒体の別の例である。同図で、直接データと間接データを混在して記録保存された紙などの媒体D23は、契約書などの書類の例であり、直接データとして、契約金額を含めた契約内容文書D23aと署名と印鑑D23cとし、間接データとして、契約内容の主要な部分と署名を公開鍵方式の秘密鍵あるいは共通鍵方式の共通鍵などで暗号化したデータのドット画像D23bとして記録している。
【００２９】
第11図は、シールやアクセサリの作成システムのブロック図である。同図で、任意の形状の画像を、ドットを用い、各ドットの大きさを任意に定めて、ドット画像D24を作成する。また、各種のデータD25をカラーコード列D26に変換する。  次に、マッピンッグ処理P9により、該任意の形状のドット画像D24の各ドットに、該カラーコード列D26の各カラーコードを対応させる。該マッピング処理P9により、該各種のデータの任意の形状のカラーのドット画像D27が生成される。そして、該任意の形状のカラーのドット画像D27を印刷制御P10により、各ドットの大きさおよびドットとドットの間隔を制御して、シール画像D28として印刷する。また、該任意の形状のカラーのドット画像D27を用いて、ガラスの玉とか石の玉とか各種の色のついた玉を各ドットに対応させて、アクセサリD29を作成する。
【００３０】
第12図は、任意の形状のカラーのドット画像にカラーコード列をマッピングすることにより、各種のデータの任意の形状のカラーのドット画像を生成する方式の例を示した図である。同図で、任意の形状のカラーのドット画像D30と文書データのカラーコード列D31を、マッピング処理P9により、該任意の形状のカラーのドット画像D30の各ドットに、該カラーコード列のカラーの色を対応させることにより、該各種のデータの任意の形状のカラーのドット画像D32が生成される。
【００３１】
以上説明したように、本発明のカラードットコードシステムによれば、各種のデータをカラーコード列に変換する手段と、変換されたカラーコードをカラーのドットに対応させてカラーのドット画像を生成する手段と、該各種のデータに対応するカラーのドット画像を、紙などの通常の媒体に印刷記録し、該印刷記録されたカラーのドット画像をスキャナーやカメラなどにより、コンピュータ内部に読み込んで、基の各種のデータを復元する手段を備えるように構成したものであり、上記構成により、コンピュータ内部での各種のデータをカラーのドット画像に変換して、コンピュータ内部では該変換されたカラーのドット画像を用いて該基の各種のデータの管理を行うことにより、文字などの直接データと間接データとしてのカラーのドット画像との一元管理が実現され、暗号化されたデータなどの人に不快感を与えるデータとか、圧縮されたデータなどのそのままでは可視化出来ないデータを可視化データとして、人が各種のデータを利用しやすく管理しやすい環境が実現され、また、各種のデータを人が親しみ易い任意の形状のカラーのドット画像として、色のついたガラス玉とか石の玉とかでアクセサリなどの物を構築することが実現され、また、該カラーのドット画像の各ドットの大きさおよびドットとドットの間隔を制御して、通常の紙などの媒体に記録保存することにより、通常のパソコンなどの周辺装置のスキャナーとかカメラなどを利用して読み取って、基の各種のデータに復元することが実現されるという効果が得られる。
【図面の簡単な説明】
【００３２】
【図１】本発明の１実施例に係る、カラードットコードシステムの方式のブロック図である。
【図２】本実施例におけるカラードット処理装置のブロック図である。
【図３】本実施例における文書データをカラーコード列で表す方法を示す図である。
【図４】本実施例におけるカラーコード列をカラーのドット画像で表す方法を示す図である。
【図５】本実施例におけるカラーのドット画像をプリント用紙に印刷記録する方法を示す図である。
【図６】本実施例におけるカラードットコード処理装置でのカラーのドット画像からの文書データの復元処理の処理フロー図である。
【図７】本実施例におけるリアルタイム画面読み取り復元装置の構成図である。
【図８】本実施例におけるリアルタイムカード読み取り認証装置の構成図である。
【図９】本実施例における直接データと間接データの融合システムのブロック図である。
【図１０】本実施例における直接データと間接データを１枚の紙に印刷記録した契約書の例である。
【図１１】本実施例におけるシールやアクセサリの作成システムのブロック図である。
【図１２】本実施例における各種のデータの任意の形状のカラーのドット画像を生成する方式の例を示した図である。
【国際調査報告】
2004081857.tif 000015
2004081857.tif 000016
2004081857.tif 000017
2004081857.tif 000018
2004081857.tif 000019
2004081857.tif 000020